(57)【要約】      （修正有）【課題】先行列車の位置や走行速度を考慮した柔軟な自動運転制御を行う列車自動運転システムを提供する。【解決手段】車上システム２０と運行管理装置３０と駅保安システム１０とを備えた列車自動運転システムにおいて、データベースに列車番号毎に時刻に関する情報を含む実施ダイヤ情報が格納される。実施ダイヤ情報には各駅出発時刻と次駅到着時刻と予定時刻からの遅延時間に関する情報が含まれる。運行管理装置は、駅保安システムからの在線位置情報を受信可能な通信手段と、車上システムへ走行制御のための情報を送信可能な無線通信手段とを備える。駅保安システムからの在線位置情報に基づいて実施ダイヤ情報を参照して車上装置へ走行制御のための情報を送信し、受信した走行制御のための情報に基づいて走行パターンを生成または修正し、生成または修正された走行パターンに従った速度となるように走行駆動装置及びブレーキ装置を制御するようにした。【選択図】図１
2020062976.tif 000002
【特許請求の範囲】
【請求項１】
走行駆動装置およびブレーキ装置を制御することで走行パターンに従って列車を走行させる機能を有する車上装置と、前記車上装置が搭載されている列車の位置およびデータベースに格納されている実施ダイヤ情報に基づいて前記車上装置へ走行制御のための情報を提供可能な運行管理装置と、軌道上を走行している列車の在線位置を検出するとともに、検出した列車の在線位置情報を前記運行管理装置へ提供可能な地上装置と、を備えた列車自動運転システムであって、
前記データベースには、列車番号毎に時刻に関する情報を含む実施ダイヤ情報が格納され、前記実施ダイヤ情報には各駅出発時刻と次駅到着予定時刻と予定時刻からの遅延時間に関する情報が含まれ、
前記車上装置は、自列車の位置を把握する位置把握手段と、前記地上装置との間で情報を送受信可能な情報送受信手段と、前記運行管理装置と通信可能な無線通信手段と、所定の位置を停止点として設定し当該停止点を終点とする走行パターンを生成する走行パターン生成手段と、前記走行パターンに従って走行駆動装置およびブレーキ装置を制御して列車走行速度を制御する制御手段と、を備え、
前記地上装置は、走行中の列車の位置を検出可能な列車位置検出手段と、前記列車位置検出手段により検出した在線位置情報を前記運行管理装置へ送信可能な通信手段と、を備え、
前記運行管理装置は、
前記地上装置からの前記在線位置情報を受信可能な通信手段と、
前記車上装置へ走行制御のための情報を送信可能な無線通信手段と、
を備え、前記地上装置からの前記在線位置情報に基づいて前記実施ダイヤ情報を参照して前記車上装置へ走行制御のための情報を送信し、
前記車上装置は、受信した走行制御のための情報に基づいて前記走行パターンを生成または修正し、生成または修正された走行パターンに従った速度となるように走行駆動装置およびブレーキ装置を制御するように構成されていることを特徴とする列車自動運転システム。
【請求項２】
前記地上装置は、前記車上装置との間で情報を送受信可能な情報送受信手段を備え、該情報送受信手段により前記車上装置から列車番号の要求を受けると、前記通信手段により列車番号の要求を車両識別情報および位置情報と共に前記運行管理装置へ送信し、
前記運行管理装置は、前記地上装置からの前記列車番号の要求を受信すると、当該要求に付随している位置情報に基づいて前記データベースに格納されている実施ダイヤ情報を参照して列車番号を読み出し、前記地上装置を介して対応する車上装置へ返送することを特徴とする請求項１に記載の列車自動運転システム。
【請求項３】
前記位置情報は、前記通信手段により前記車上装置から受信した前記位置把握手段により把握されている自列車位置情報であり、
前記運行管理装置は、受信した前記自列車位置情報を軌道回路の在線位置情報に変換する位置情報読替え手段を備え、前記位置情報読替え手段により変換された在線位置情報に基づいて前記データベースに格納されている実施ダイヤ情報を参照して列車番号を読み出すように構成されていることを特徴とする請求項２に記載の列車自動運転システム。
【請求項４】
前記運行管理装置は、在線位置情報に基づいて走行中の列車の運行を管理する運行管理中央装置と、前記車上装置を搭載した自動運転列車を制御する自動列車運転中央装置と、実施ダイヤを管理するダイヤ管理装置とを備えてなり、
前記地上装置から前記運行管理装置への列車番号の要求の送信は、前記自動列車運転中央装置へ行われ、前記位置情報読替え手段は前記自動列車運転中央装置に設けられ、
前記自動列車運転中央装置は、列車番号の要求に前記変換した位置情報を付加して前記ダイヤ管理装置へ転送して当該ダイヤ管理装置から当該位置情報を対応した前記実施ダイヤ情報を取得するように構成されていることを特徴とする請求項３に記載の列車自動運転システム。
【請求項５】
前記車上装置は、走行パターンを生成した際に、当該走行パターンに従って走行した場合に停止点に到着すると予測される時刻情報を前記運行管理装置へ送信し、
前記運行管理装置は、管理下にある列車に搭載されている前記車上装置から受信した前記時刻情報を予測ダイヤに反映し、当該予測ダイヤの情報に基づいてそれぞれの列車に対する走行制御情報を生成して対応する車上装置へ送信可能に構成されていることを特徴とする請求項１〜４のいずれかに記載の列車自動運転システム。
【発明の詳細な説明】
【技術分野】
【０００１】
本発明は、列車自動運転システムに関し、特にデジタル無線およびＡＴＣ地上子からの情報を利用した自動運転制御に利用して有用な技術に関する。
【背景技術】
【０００２】
現行の自動運転システムは、乗務員行路を記憶したＩＣカードから運転速度条件を自動的に読み込んで、予め車上の記憶装置に保有している走行パターンの中から運転速度条件にあったものを選択し、選択した走行パターンに従って走行するものが一般的である（例えば特許文献１）。
また、ＡＴＣ制御をモニタしながら自動運転を実行するようにした自動運転システムに関する発明がある（例えば特許文献２）。特許文献２には、臨時速度制限区間が生じた場合における自動運転制御についても記載されている。
【先行技術文献】
【特許文献】
【０００３】
【特許文献１】特開昭５７−０３６５０５号公報
【特許文献２】特開昭６１−２３６３１０号公報
【発明の概要】
【発明が解決しようとする課題】
【０００４】
しかしながら、現行の自動運転システムは、先行列車の位置や走行速度、遅延時間などの情報を後続の列車へ知らせることをしていないため、先行列車の位置等を考慮した運転制御が行えず、平面交差支障が発生したり先行列車への異常接近による機外停止（信号機の現示によらない停止）が発生したりするおそれがあるという課題がある。
また、特許文献１に記載されている自動運転システムは、強風等の理由で臨時速度制限区間が生じた場合に、区間の直前で急ブレーキがかかって乗り心地やエネルギ効率を低下させてしまうことがあるとともに、前後の区間で列車速度を上げることで駅間の所要走行時間の増加を極力抑えた運転制御のような柔軟な走行に対応できないという課題がある。さらに、従来の自動運転システムは、列車の走行中に何らかの原因で予定時刻からの遅れが発生すると、自動的に遅延回復を行うことができないという課題がある。
【０００５】
また、従来の鉄道システムは、管轄区内を走行している列車の位置や駅発着時刻を管理する運行管理システムと、ダイヤ情報に基づいて各列車の進路を設定したり軌道回路の情報に基づいて走行している列車が先行列車に近づき過ぎないように地上側から制御するＡＴＣ地上装置を含む保安システムとから構成されているが、運行管理システムは列車番号で各列車の位置把握と管理を行なっているのに対し、保安システムは車両ＩＤ（識別番号）で各列車の位置把握と制御を行なっている。一方、車上の制御システムは、電源立ち上げ時に運転台から列車番号を入力して設定し、走行中は列車番号で制御状態を把握、管理しており、列車無線による運行管理システムとの情報のやり取りも列車番号を介在して実施することで情報を共有しているものの、保安システムとの間の情報伝達には列車番号を使用していない。
上記のように、従来の鉄道システムは、運行管理システムと保安システムと車上制御システムとの間の連携が充分に取れていない（情報がリンクしていない）ため、上述したような柔軟な自動運転制御の実現が困難になっているという課題があることを見出した。
さらに、従来の運行管理システムは、各列車の位置をリアルタイムで把握することで計画ダイヤからの遅れ等を把握して実施ダイヤに反映する機能を有するものの、各列車の走行速度や予定走行パターンまでは把握していないため、他列車の位置を予測した運行管理を行うようなことはできなかった。
【０００６】
本発明は上記のような課題に着目してなされたもので、先行列車の位置や走行速度を考慮した柔軟な自動運転制御を行うことができ、それによって平面交差支障の発生や機外停止の防止を図ることができる列車自動運転システムを提供することを目的とする。
本発明の他の目的は、列車の走行速度や予定走行パターンを把握して予測ダイヤを作成し、他列車の位置を予測した運行管理を行うことができる列車自動運転システムを提供することにある。
本発明のさらに他の目的は、予定時刻からの遅れが発生した場合に、遅延回復運転を行うことができる列車自動運転システムを提供することにある。
【課題を解決するための手段】
【０００７】
上記課題を解決するために、本出願に係る発明は、
走行駆動装置およびブレーキ装置を制御することで走行パターンに従って列車を走行させる機能を有する車上装置と、前記車上装置が搭載されている列車の位置およびデータベースに格納されている実施ダイヤ情報に基づいて前記車上装置へ走行制御のための情報を提供可能な運行管理装置と、軌道上を走行している列車の在線位置を検出するとともに、検出した列車の在線位置情報を前記運行管理装置へ提供可能な地上装置と、を備えた列車自動運転システムにおいて、
前記データベースには、列車番号毎に時刻に関する情報を含む実施ダイヤ情報が格納され、前記実施ダイヤ情報には各駅出発時刻と次駅到着予定時刻と予定時刻からの遅延時間に関する情報が含まれ、
前記車上装置は、自列車の位置を把握する位置把握手段と、前記地上装置との間で情報を送受信可能な情報送受信手段と、前記運行管理装置と通信可能な無線通信手段と、所定の位置を停止点として設定し当該停止点を終点とする走行パターンを生成する走行パターン生成手段と、前記走行パターンに従って走行駆動装置およびブレーキ装置を制御して列車走行速度を制御する制御手段と、を備え、
前記地上装置は、走行中の列車の位置を検出可能な列車位置検出手段と、前記列車位置検出手段により検出した在線位置情報を前記運行管理装置へ送信可能な通信手段と、を備え、
前記運行管理装置は、
前記地上装置からの前記在線位置情報を受信可能な通信手段と、
前記車上装置へ走行制御のための情報を送信可能な無線通信手段と、
を備え、前記地上装置からの前記在線位置情報に基づいて前記実施ダイヤ情報を参照して前記車上装置へ走行制御のための情報を送信し、
前記車上装置は、受信した走行制御のための情報に基づいて前記走行パターンを生成または修正し、生成または修正された走行パターンに従った速度となるように走行駆動装置およびブレーキ装置を制御するように構成したものである。
【０００８】
上記のように構成された列車自動運転システムによれば、運行管理装置は地上装置からの前記在線位置情報に基づいて実施ダイヤ情報を参照して車上装置へ走行制御情報（運行管理情報）を送信し、車上装置は受信した走行制御情報に基づいて走行パターンを修正するので、先行列車の位置や走行速度を考慮した柔軟な自動運転制御を行うことができ、それによって平面交差支障の発生や機外停止の防止を図り、乗り心地やエネルギ効率の低下を防止するとともに駅間の所要走行時間の増加を極力抑えることができる。
【０００９】
ここで、望ましくは、前記地上装置は、前記車上装置との間で情報を送受信可能な情報送受信手段を備え、該情報送受信手段により前記車上装置から列車番号の要求を受けると、前記通信手段により列車番号の要求を車両識別情報および位置情報と共に前記運行管理装置へ送信し、
前記運行管理装置は、前記地上装置からの前記列車番号の要求を受信すると、当該要求に付随している位置情報に基づいて前記データベースに格納されている実施ダイヤ情報を参照して列車番号を読み出し、前記地上装置を介して対応する車上装置へ返送するように構成する。
【００１０】
上記のような構成によれば、走行する各列車に実施ダイヤ情報に基づく列車番号を付与し、運行管理装置と地上装置と車上装置がそれぞれ列車番号と位置を齟齬なく把握することとなるので、各装置間で送信データを列車番号（もしくは列車番号及び車両識別情報）でリンクさせてデータを共有することができ、それによって車上装置から運行管理装置へ走行制御情報を直接要求することができるとともに、取得した走行制御情報に応じた自動運転制御を実施することができ、先行列車の位置や走行速度を考慮した柔軟な自動運転制御を行うことができる。
【００１１】
さらに、望ましくは、前記位置情報は、前記通信手段により前記車上装置から受信した前記位置把握手段により把握されている自列車位置情報であり、
前記運行管理装置は、受信した前記自列車位置情報を軌道回路の在線位置情報に変換する位置情報読替え手段を備え、前記位置情報読替え手段により変換された在線位置情報に基づいて前記データベースに格納されている実施ダイヤ情報を参照して列車番号を読み出すように構成する。
かかる構成によれば、車上装置が自列車の位置を軌道回路の在線位置でなくキロ程で把握している場合にも、軌道回路の在線位置情報によって走行する列車の位置を把握して運行管理を行なっている既設の運行管理装置と地上装置を利用して、本発明の列車自動運転システムを構築することができるため、システムの導入に伴うコスト増を抑制することができる。
【００１２】
さらに、望ましくは、前記運行管理装置は、在線位置情報に基づいて走行中の列車の運行を管理する運行管理中央装置と、前記車上装置を搭載した自動運転列車を制御する自動列車運転中央装置と、実施ダイヤを管理するダイヤ管理装置とを備えてなり、
前記地上装置から前記運行管理装置への列車番号の要求の送信は、前記自動列車運転中央装置へ行われ、前記位置情報読替え手段は前記自動列車運転中央装置に設けられ、
前記自動列車運転中央装置は、列車番号の要求に前記変換した位置情報を付加して前記ダイヤ管理装置へ転送して当該ダイヤ管理装置から当該位置情報を対応した前記実施ダイヤ情報を取得するように構成する。
かかる構成によれば、運行管理装置が、自動運転列車を制御する自動列車運転中央装置と実施ダイヤを管理するダイヤ管理装置とで構成されるので、運行管理中央装置とダイヤ管理装置とからなる既設の運行管理システムをそのまま利用して、本発明の列車自動運転システムを構築することができる。
【００１３】
また、望ましくは、前記車上装置は、走行パターンを生成した際に、当該走行パターンに従って走行した場合に停止点に到着すると予測される時刻情報を前記運行管理装置へ送信し、
前記運行管理装置は、管理下にある列車に搭載されている前記車上装置から受信した前記時刻情報を予測ダイヤに反映し、当該予測ダイヤの情報に基づいてそれぞれの列車に対する走行制御情報を生成して対応する車上装置へ送信可能に構成する。
上記のような構成によれば、車上装置が生成した走行パターンに基づく停止点（次駅を含む）への到着時刻等の時刻情報を運行管理装置へ送信して予測ダイヤに反映し、その予測ダイヤの情報に基づいて他の列車の制御情報を生成して送信可能であるため、他の列車の運行状態に応じて走行パターンを修正させることができ、先行列車の位置や走行速度を考慮した柔軟な自動運転制御や平面交差支障が解消したような場合に待機時間を短縮したり遅延回復運転を実行したりすることができる。
【００１４】
さらに、前記車上装置は、前記地上装置から受信したＡＴＣ情報に基づいて生成された速度照査パターンを生成し、当該速度照査パターンに従って走行速度を制御するＡＴＣ制御手段を備え、前記走行パターン生成手段は、前記速度照査パターンを越えることがない走行パターンを生成し、列車走行速度が速度照査パターンに到着すると前記ＡＴＣ制御手段がブレーキ装置を制御するように構成しても良い。
かかる構成によれば、既設のＡＴＣ地上子からの情報に基づくＡＴＣ制御による安全性を担保しつつ列車の自動運転制御を実施することができる。
【発明の効果】
【００１５】
本発明に係る列車自動運転システムによれば、先行列車の位置や走行速度を考慮した柔軟な自動運転制御を行うことができ、それによって平面交差支障の発生や機外停止の防止を図ることができる。また、列車の走行速度や予定走行パターンを把握して予測ダイヤを作成し、他列車の位置を予測した運行管理を行うことができる。さらに、予定時刻からの遅れが発生した場合に、遅延回復運転を行うことができるという効果がある。
【図面の簡単な説明】
【００１６】
【図１】本発明に係る列車自動運転システムの一実施形態を示すシステム構成図である。
【図２】実施形態の列車自動運転システムを構成する車上側の自動運転装置（車上システム）の具体例を示すブロック図である。
【図３】実施形態の列車自動運転システムにおけるＡＴＯ車上装置（自動運転制御装置）への列車番号の設定手順の一例を示すフローチャートである。
【図４】本発明の列車自動運転システムの第１の特徴であるＡＴＯ車上装置による地上側のＡＴＯ中央装置から運行管理情報（走行制御情報）を取得し、自動運転制御に反映する手順の一例を示すフローチャートである。
【図５】本発明の列車自動運転システムの第２の特徴である車上システムが算出した次駅到着予測時刻等を運行管理システムへ送信して予測ダイヤに反映し運行制御に利用する場合の処理の手順の一例を示すフローチャートである。
【図６】第２の特徴を説明するための速度パターン説明図であり、（Ａ）は平面交差支障箇所に到着する前に折返し列車が平面交差支障箇所を通過した場合におけるＡＴＣパターンおよび走行パターンの例を示す速度パターン説明図、（Ｂ）はＡＴＯ車上装置に回復運転指令が与えられた場合におけるＡＴＣパターンおよび走行パターンの例を示す速度パターン説明図である。
【発明を実施するための形態】
【００１７】
以下、図面を参照しながら本発明に係る列車自動運転システムの一実施形態について説明する。図１は本発明に係る列車自動運転システム全体の一実施形態を示すシステム構成図、図２は該システムを構成する鉄道車両（列車）に搭載される車上装置の構成例を示すブロック図、図３は実施形態の列車自動運転システムにおける車上装置（車上システム）への列車番号の設定の仕方の一例を示すフローチャートである。
【００１８】
図１に示すように、本実施形態に係る列車自動運転システムは、走行している列車が先行列車に近づき過ぎないように地上側から制御するＡＴＣ地上装置を含む駅保安システム１０と、車両に搭載された自動運転制御機能を有する車上システム２０と、列車の位置や進路を把握しダイヤに従って走行しているか監視して駅保安システム１０へ進路情報を出力する運行管理システム３０とによって構成されている。
このうち、車上システム２０は、車両の運転台に設けられたスイッチ装置（運転台ＳＷ）２１と、駅保安システム１０のＡＴＣ地上装置からの停止位置情報に基づいてブレーキ装置を制御するＡＴＣ車上装置２２と、ＡＴＣ地上装置１３からの次駅停車時刻等の情報に基づいて走行パターン（ＡＴＯパターン）を生成し駆動装置（モータ）およびブレーキ装置を制御して走行パターンに従って走行させるＡＴＯ車上装置２３と、ＡＴＯ車上装置２３と外部装置との間の信号のやり取りを行う車両インタフェース（車両Ｉ／Ｆ）２４などを備える。図示しないが、ＡＴＣ車上装置２２には、車両ＩＤを記憶した記憶装置が設けられている。
【００１９】
駅保安システム１０は、レール間に電流を流して所定区間毎に列車の在線を検出する軌道回路設備１１と、軌道回路設備１１からの在線情報に基づいて信号機の現示を制御したり信号機と転てつ機を関連づけて全体的な保安機能を実現して列車を安全に走行させるための連動設備１２と、軌道回路設備１１からの在線情報や連動設備１２からの転てつ機状態情報に基づいて車上システム２０へ列車の進路や停止ブロック（軌道回路単位の停止位置）等の情報を送信するＡＴＣ地上装置１３などを備える。
【００２０】
ＡＴＣ地上装置１３は、軌道の所定位置に設けられた地上子を介して情報を送信する形態のものでも良いし、軌道回路の電流に乗せた信号で情報を送信する形態のものでも良い。また、進路情報や列車在線位置情報から演算した停止限界点を無線通信によって送信する形態のものであっても良い。
上記軌道回路設備１１と連動設備１２とＡＴＣ地上装置１３は、伝送線などで構成された通信ネットワーク１４を介してデータ送受信可能に接続されている。また、軌道には所定間隔をおいて位置補正用のＡＴＣトランスポンダ地上子１５が配設されている。
【００２１】
運行管理システム３０は、列車番号毎に「各駅出発時刻と次駅到着時刻、次駅到着時刻と予定時刻からの遅延時間に関する情報を含む実施ダイヤ情報」を格納したデータベースを備え、転てつ機状態や列車在線位置の情報に基づいてデータベース内の実施ダイヤ情報を参照して列車番号ごとに在線位置と時刻に応じた進路を設定し連動設備１２へ出力するダイヤ管理装置３１と、連動設備１２からの転てつ機状態や列車在線位置の情報とダイヤ管理装置３１内の実施ダイヤ情報に基づいて管轄内の全列車の位置を列車番号と紐づけて把握し表示装置へ表示させる機能を有する運行管理中央装置３２を備える。計画ダイヤは予め計画された予定の時刻情報を記載したもの、実施ダイヤは制御当日に実際に実施している時刻情報を記載したものである。
【００２２】
本実施形態の運行管理システム３０は、さらに、デジタル無線を経由してＡＴＯ車上装置２３が把握している列車位置（キロ程）を軌道回路の在線位置に変換して当該在線位置情報を車両識別番号（車両ＩＤ）および列車番号と紐づけて把握するＡＴＯ中央装置３３を備える。デジタル無線には、空間波無線方式や漏洩同軸ケーブル方式（ＬＣＸ方式）の無線など既存のデジタル列車無線を利用することができる。上記ダイヤ管理装置３１と運行管理中央装置３２とＡＴＯ中央装置３３は、伝送線などで構成された通信ネットワーク３４を介してデータ送受信可能に接続されており、ＡＴＯ中央装置３３が把握した在線位置情報はダイヤ管理装置３１および運行管理中央装置３２へ伝送され、記憶される。
【００２３】
さらに、本実施形態の列車自動運転システムにおいては、車両の発車前の電源投入時に、運行管理システム３０の運行管理中央装置３２から取得した列車番号を、駅保安システム１０のＡＴＣ地上装置１３からＡＴＯ車上装置２３へ送信して設定させることで、従来は駅保安システム１０と車上装置との間において車両ＩＤで情報を共有していたものを、車両ＩＤに列車番号を紐づけることで、駅保安システム１０と車上システム２０との間はもちろん車上システム２０と運行管理システム３０との間でも情報を共有できるように構成されている。これにより、従来はリンクしていなかった３つのシステムの情報が列車番号によってリンクされることとなる。
【００２４】
次に、本実施形態における車上システム２０のより具体的な構成例を説明する。図２に示すように、車上システム２０は、運転台スイッチ装置（運転台ＳＷ）２１、ＡＴＣ車上装置２２、ＡＴＯ車上装置としての自動運転制御装置２３、車両Ｉ／Ｆ２４の他、走行速度および走行距離を算出するために車輪の回転数を検出する速度発電機２５、ブレーキディスクやブレーキパッドおよび駆動手段などを有するブレーキ装置２６を備える。
ＡＴＣ車上装置２２は、デジタル無線やＡＴＣトランスポンダ地上子もしくは軌道回路を介して送信される情報（ＡＴＣ情報）を受信するＡＴＣ通信装置２２Ａと、受信したＡＴＣ情報に基づいてＡＴＣパターンを生成しＡＴＣパターンに従ってブレーキ装置２６を制御するＡＴＣ制御装置２２Ｂとによって構成されている。
【００２５】
また、車上システム２０は、ＡＴＣ制御装置２２Ｂ、軌道に沿って設けられているＡＴＣトランスポンダ地上子１５からの情報（ＡＴＣ電文）を受信するＡＴＣトランスポンダ車上子２７Ａを備え、ＡＴＣ通信装置２２ＡがＡＴＣトランスポンダ車上子２７Ａを介してＡＴＣトランスポンダ地上子１５との間のデータの送受信を行う。また、ＡＴＣ通信装置２２Ａにはアンテナ２７Ｂが接続されており、ＡＴＯ中央装置３３（図１）との間の無線通信が可能に構成されている。
さらに、車上システム２０は、車輪を回転駆動するモータなどからなる走行駆動装置２８を備えており、自動運転制御装置（ＡＴＯ車上装置）２３が、速度発電機２５からの信号に基づいて算出した走行速度を参照しながら、走行パターン（ＡＴＯパターン）に従って走行駆動装置２８およびブレーキ装置２６を制御するノッチ指令を出力して自動運転を行う。
【００２６】
自動運転制御装置（ＡＴＯ車上装置）２３は、マイクロプロセッサ（ＭＰＵ）とＭＰＵが実行するプログラムや速度照査パターンを記憶するＲＯＭのような不揮発性記憶装置と、ＲＡＭのような読み出し書き込み可能な記憶装置とから構成される。記憶装置には、走行区間の各駅間ごとに基準となる走行パターンが記憶されており、自動運転制御装置（ＡＴＯ車上装置）２３は、次駅到着予定時刻等に応じて記憶装置から基準となる駅間走行パターンを読み出し、当該走行パターンとそのときの列車の位置や走行速度に基づいて力行に必要なノッチ指令を走行駆動装置２８へ出力したり最適なブレーキ力を算出してブレーキ装置２６へノッチ指令を出力したりするとともに、先行列車の在線位置等に応じて走行パターンを切り替えることができるように構成されている。
【００２７】
また、自動運転制御装置（ＡＴＯ車上装置）２３には、車両の運転台に設けられているマスタコントローラや自動運転用の出発許可スイッチなどを備えたスイッチ装置（運転台ＳＷ）２１からの信号が入力され、スイッチ信号に応じて力行許可判定やＡＴＯパターンの生成などの内部処理を実行する。
ＡＴＣ制御装置２２ＢによるＡＴＣ制御では、列車の車上装置２０は、ＡＴＣ通信装置２２Ａにより列車が停止すべき軌道回路の情報を受けるとＡＴＣパターンと呼ばれる速度照査パターンを生成して、自己の速度と該パターンとを比較しながらブレーキ装置２６を作動させて車両速度を落とし列車を停止させる制御を実行する。
【００２８】
本実施形態においては、ＡＴＣ通信装置２２Ａにより受信した情報は、ＡＴＣ制御装置２２Ｂおよび自動運転制御装置（ＡＴＯ車上装置）２３へ供給され、自動運転制御に反映される。なお、各列車からＡＴＣ地上装置１３へ送信される位置情報は、例えば当該列車の車上装置（２２,２３）が速度発電機２５等からの信号に基づいて把握している位置情報（キロ程）である。この位置情報は、ＡＴＣトランスポンダ車上子２７Ａにより受信した情報に含まれる位置補正情報により補正される。ＡＴＣトランスポンダ車上子２７ＡからＡＴＣトランスポンダ地上子１５へ送信されるデータには、当該列車の車両ＩＤ（識別コード）と車上装置（２２,２３）が把握している自列車の位置情報（キロ程）が含まれる。
【００２９】
ここで、車上装置（車上システム）２０への列車番号の具体的な設定方法の一例について、図３を用いて説明する。
車両の運転台スイッチ装置にある電源スイッチが投入されると、ＡＴＯ車上装置２３が起動される（ステップＳ０）。すると、車両Ｉ／Ｆ２４を介してＡＴＯ車上装置２３へ信号が送られて、列車番号要求もしくは列車番号変更要求のコマンド（以下、列車番号要求コマンド）がＡＴＣ車上装置２２へ送信される（ステップＳ１）。ＡＴＣ車上装置２２においては、送信データ（列車番号要求コマンド）に、車両ＩＤとＡＴＣ制御装置２２Ｂが把握している列車位置情報（キロ程）と運行方向情報（上り／下り）が格納されたヘッダが付加され、ＡＴＣ地上装置１３へ送信される（ステップＳ２）。なお、ヘッダには、要求時刻を格納しても良い。また、ヘッダはＡＴＯ車上装置２３において付加しても良い。
【００３０】
次に、ＡＴＣ地上装置１３においてヘッダが付加された列車番号要求コマンドが、通信ネットワーク１４，３４を介してＡＴＯ中央装置３３へ送信され（ステップＳ３）、ＡＴＯ中央装置３３において列車位置情報（キロ程）が軌道回路の在線情報に変換されて運行管理中央装置３２へ転送される（ステップＳ４）。すると、運行管理中央装置３２は、ダイヤ管理装置３１のデータベース内の実施ダイヤを参照して、要求受信時刻と列車在線位置に応じた列車番号を検索して読み出し（ステップＳ５）、列車番号を指定した応答（レスポンス）をＡＴＯ中央装置３３へ送信する（ステップＳ６）。
【００３１】
その後、ＡＴＯ中央装置３３から列車番号設定コマンドがＡＴＣ地上装置１３へ送信され（ステップＳ７）、ＡＴＣ地上装置１３からＡＴＣ車上装置２２へ列車番号設定コマンドが送信され（ステップＳ８）、ＡＴＣ地上装置１３から車両Ｉ／Ｆ２４を介してＡＴＯ車上装置２３へ列車番号設定コマンドが転送される（ステップＳ９）。すると、ＡＴＯ車上装置２３において列車番号が設定され（ステップＳ１０）、一連の列車番号設定処理が終了する。なお、ＡＴＯ中央装置３３から列車番号設定コマンドを受け取ったＡＴＣ地上装置１３は、列車番号と車両ＩＤと列車位置情報を紐付けて記憶した後に、当該コマンドをＡＴＯ車上装置２３へ送信する。
【００３２】
そのため、駅保安システム１０と車上システム２０と運行管理システム３０との間で、データが列車番号によってリンク可能となる。また、従来のシステムにおいては、運行管理システム３０が把握している列車位置が軌道回路の在線情報であるのに対し、駅保安システム１０と車上システム２０が把握している位置はキロ程情報であり、位置情報に齟齬が生じていたが、本実施形態においては、車上システム２０からＡＴＣ地上装置１３を介して転送されてきた列車位置情報を、ＡＴＯ中央装置３３が軌道回路の在線情報に変換しているため、運行管理中央装置３２からＡＴＣ地上装置１３に対して適切な指令が行なえる。なお、列車位置情報の変換（読み替え）はＡＴＣ地上装置１３において実行するようにしても良い。
以上、車上システムの起動時における列車番号の設定手順について説明したが、列車番号を変更したい場合には、設定要求コマンドの代わりに変更要求コマンドが車上システム２０から運行管理システム３０へ送信される点で異なるが、手順は上記と同じである。
【００３３】
次に、本実施形態の列車自動運転システムにおける新規な機能の主な特徴について説明する。第１の特徴は、運行管理システム３０から車上システム２０へ運行管理情報を送信して車上システム２０が受け取った運行管理情報を走行パターン（以下、ＡＴＯパターンと称する）に反映する点である。第２の特徴は、車上システム２０が生成したＡＴＯパターンに基づく次駅到着予定時刻を運行管理システム３０へ送信して、運行管理中央装置３２が予測ダイヤに反映して運行制御に利用する点である。
以下、上記第１と第２の特徴についてそれぞれ具体的に説明する。
【００３４】
先ず、第１の特徴について、図４に示すフローチャートを用いて説明する。
第１の特徴は、車上システム２０がＡＴＯ中央装置３３から運行管理情報を受け取ってＡＴＯパターンに反映するもので、この処理は例えば列車が次駅へ出発する前の駅停車中に実施される。ＡＴＯ車上装置２３は、出発前に、ＡＴＣ通信装置２２ＡによってＡＴＯ中央装置３３に対して走行制御情報（運行管理情報）の送信要求を行う（ステップＳ１１）。本実施形態においては、この走行制御情報送信要求は、デジタル無線を介して行われる。この要求には、電源投入時に取得した列車番号と共に、「平常」、「雨天」、「ラッシュ」、「回復」等のＡＴＯ運転モードの情報を送信要求コマンドに付加して送信しても良い。また、送信要求は走行中においても実施しても良く、走行中においては、コマンドに次駅到着予定時刻（または次駅到着までの残時間）、演算地点（列車位置）をさらに付加して送信要求を行なってもよい。
【００３５】
運行管理情報の送信要求を受けたＡＴＯ中央装置３３は、ダイヤ管理装置３１に対して列車番号に対応した最新の実施ダイヤ情報を要求し（ステップＳ１２）、受信した実施ダイヤとＡＴＯ車上装置２３から受信した次駅到着予定時刻とから演算によって到着遅れ時間を算出する（ステップＳ１３）。なお、ＡＴＯ中央装置３３は、制御対象区間に在線する他の列車からもＡＴＯ運転モード、次駅到着予定時刻（または残時間）、演算地点（演算時の列車位置）の情報を受信しており、制御対象区間のすべての列車（列車番号毎）について到着遅れ時間を算出する。
【００３６】
次に、ＡＴＯ中央装置３３は、算出した到着遅れ時間に基づいて運行管理情報を要求して来た列車の制御モードを判定し（ステップＳ１４）、全列車（列車番号）の遅れ時間に応じたＡＴＯ運転モードを選択する（ステップＳ１５，Ｓ１６）。具体的には、すべての列車が所定の到着許容遅れ時間（例えば１０秒）内に収まっている場合は回復運転または平常運転のモードを選択する（ステップＳ１５）。また、１つ以上の列車で基準運転時間間隔を超過した場合には、全ての列車（列車番号）に対して超過時間に応じた間隔調整制御情報（抑止時間）を生成する（ステップＳ１６）。
【００３７】
続いて、ＡＴＯ中央装置３３は選択した制御モードに応じた自動運転指令コマンド、間隔調整制御情報をＡＴＯ車上装置２３へ送信する（ステップＳ１７）。なお、この際、駅停車中の列車（列車番号）に対しては、コマンドに発車時刻を付加して送信する。その後、制御対象区間のすべての列車（列車番号毎）について運転状態の受信（トレース）を行い、監視を続ける（ステップＳ１８）。一方、自動運転指令コマンドを受信したＡＴＯ車上装置２３は、受信した指令コマンドと付属情報に従ったＡＴＯパターンを生成し、このＡＴＯパターンに従って自動運転制御を実施する（ステップＳ１９）。
なお、ステップＳ１４の制御モードの判定において、ＡＴＯ中央装置３３で制御可能な範囲を超過したと判定した場合には、超過範囲に応じた間隔調整制御情報（抑止時間）を生成し、生成した間隔調整制御情報を図示しないＡＴＯ中央装置管理用端末に対して送信（提案）し、許可の指令を受けた場合には、選択した制御モードに応じた自動運転指令コマンド、間隔調整制御情報をＡＴＯ車上装置２３へ送信するようにしてもよい。
【００３８】
次に、本実施形態の列車自動運転システムの新規機能の第２の特徴について、図５のフローチャートおよび図６（Ａ），（Ｂ）の速度パターン図を用いて説明する。
第２の特徴は、ＡＴＯ中央装置３３がＡＴＯ車上装置２３からＡＴＯ車上装置２３が作成した走行制御情報（次駅到着予定時刻等）を、デジタル無線を利用して取得し、取得した情報を予測ダイヤに反映させ、該予測ダイヤに基づいて他の列車の運行制御（走行パターンの修正）を行うというものである。
【００３９】
また、ＡＴＯ中央装置３３がＡＴＯ車上装置２３から取得する走行制御情報には、次駅到着予定時刻の他、ＡＴＯパターンや、運転台のスイッチ装置２１により入力された一部ブレーキ装置の故障に伴うブレーキ軸割割合不足低減設定、レール表面への雪や落ち葉の付着によるブレーキ性能の低下を考慮した低減運転の実施設定などが含まれる。ＡＴＯ中央装置３３は、これらの情報をＡＴＯ車上装置２３から取得すると、それらの情報（予定時刻、実施区間等）を反映した予測ダイヤを作成する。さらに、作成した予測ダイヤに基づいた情報を各列車のＡＴＯ車上装置２３へ送信して運行制御を実施させるようにしても良い。
【００４０】
ＡＴＯ中央装置３３がＡＴＯ車上装置２３から走行制御情報を取得する方法としては、定期的な通信あるいはＡＴＯ車上装置２３がＡＴＯパターンを新たに生成もしくは修正したタイミングで送信することが考えられる。
上記予測ダイヤにより、先行列車による機外停止の発生回数を減らしたり、平面交差支障の発生を抑制したりして乗り心地を改善することが可能となる。また、予測ダイヤを、車両事故や停電等によって大幅な遅延が発生した際の運用変更に利用することができるようになる。
【００４１】
以下、平面交差支障の発生の抑制を例にとって具体的に第４の特徴について説明する。
図５には、第２の特徴を使用して平面交差支障の抑制制御を可能にするための手順の一例が示されている。
この制御は、例えば駅停車中の列車（ＴＲ１）のＡＴＯ車上装置２３がＡＴＯ中央装置３３へ発車条件の要求コマンドを送信することで開始される（ステップＳ３１）。本実施形態においては、この要求は、デジタル無線を介して行われる。ＡＴＯ中央装置３３がこの要求コマンドを受けると、ダイヤ管理装置３１に対して列車番号に対応した最新の実施ダイヤ情報を要求して、実施ダイヤ情報を取得する（ステップＳ３２）。そして、取得した実施ダイヤから進行方向（上りまたは下り）の情報や発車時刻、次駅到着時刻、次駅に停車中の列車（ＴＲ２）の停車ホームと進行方向（上りまたは下り）の情報、発車時刻を読み取って平面交差支障が発生するか否か判定する（ステップＳ３３）。
【００４２】
ステップＳ３３で平面交差支障が発生しない（Ｎｏ）と判定すると通常の処理Ｓ４０へ進む。一方、ステップＳ３３で平面交差支障が発生する（Ｙｅｓ）と判定するとステップＳ３４へ移行して、ＡＴＯ中央装置３３は、実施ダイヤ（または予測ダイヤ）の情報から列車ＴＲ２が分岐点ＤＰを通過し終える時刻＋余裕時間を演算によって算出し、算出した時刻を場内進路入口到着時刻として発車条件を停止位置及び到着予定時刻の情報と共に列車（ＴＲ１）のＡＴＯ車上装置２３へ送信する（ステップＳ３５）。
【００４３】
すると、列車（ＴＲ１）のＡＴＯ車上装置２３は、平面交差支障箇所である分岐点ＤＰの直前の位置ＳＰ１を停止点とし、その位置ＳＰ１に受信した場内進路入口到着時刻に到着するような走行パターン（ＡＴＯパターン）ＰＴ１１（図６(Ａ)参照）を生成する（ステップＳ３６）。
そして、次のステップＳ３７で、駅発車予定時刻、次駅到着予定時刻、遅延時間、ブレーキ軸割割合不足低減設定、低減運転の実施設定などの情報を、ＡＴＯ車上装置２３からＡＴＯ中央装置３３へ送信した後、ステップＳ３６で生成した走行パターンＰＴ１１に従って走行制御を実行する（ステップＳ３８）。
【００４４】
一方、ステップＳ３７でＡＴＯ車上装置２３送信した情報をＡＴＯ中央装置３３が受信すると、ＡＴＯ中央装置３３は受信情報を予測ダイヤに反映する（ステップＳ４１，Ｓ４２）。この予測ダイヤは、ダイヤ管理装置３１の管理下にあっても良い。
なお、上記ステップＳ４１の処理には、次駅に停車中の列車（ＴＲ２）から送信された次駅到着予定時刻、走行パターン等他の列車からの情報の受信が含まれており、ステップＳ４２においてはそれらの情報も予測ダイヤに反映される。そこで、ＡＴＯ中央装置３３は予測ダイヤの情報に基づいて平面交差支障が解消する予測時刻を演算によって算出し、列車（ＴＲ１）へ送信する（ステップＳ４３）。
【００４５】
すると、列車（ＴＲ１）のＡＴＯ車上装置２３は、その時刻情報に基づいて走行パターンを修正し（ステップＳ４４）、修正した走行パターンに従って走行制御を実施する（ステップＳ４５）。
その結果、列車（ＴＲ１）は、図６（Ａ）に示すように、平面交差支障が発生する分岐点ＤＰの直前の位置ＳＰ１に停止することなくＢ駅まで走行して停止位置ＳＰ２で停止することができ、駅間での停止を回避して乗り心地を改善することができる。また、ステップＳ４４では、ＡＴＯ車上装置２３が修正した走行パターンをＡＴＯ中央装置３３へ送信するようにしても良い。これにより、その情報がＡＴＯ中央装置３３によって予測ダイヤに反映され、それに応じて他の列車の走行制御を修正することが可能となる。
【００４６】
また、本実施形態においては、上述したように、ＡＴＯ中央装置３３が、各列車のＡＴＯ車上装置２３から駅発車予定時刻、次駅到着予定時刻、遅延時間などの情報を取得して予測ダイヤに反映する。そのため、例えば同一進行方向の先行列車が次駅Ｂに停車中に、Ａ駅を後続列車が発車した後、先行列車が予想よりも早くＢ駅を出発し、その情報が予測ダイヤに反映されたような場合に、ＡＴＯ中央装置３３は後続列車へ遅延回復指令コマンド（変更後の次駅到着時刻を含む）を送信するように構成しても良い。
【００４７】
そして、後続列車はそのコマンドを受けることによって、図６（Ｂ）に示すように、ＡＴＣ制御の速度照査パターンＰＴ２３を越えない範囲内で、破線ＰＴ１３で示す走行パターンを実線ＰＴ１４で示すようなパターンに変更することで、当初設定した走行パターンの速度よりも速い速度で走行して遅延を回復する回復運転制御を実行することができる。
また、後続列車が回復運転制御を実行することを決定した場合、その決定によって変わる次駅到着予定時刻をＡＴＯ中央装置３３へ送信して、予測ダイヤに反映させるように構成することができる。
なお、ＡＴＯ中央装置３３から後続列車への上記遅延回復指令コマンドの送信は、指令担当による端末への回復指令入力があったことを条件にして実行するようにしても良い。
【００４８】
以上、本発明の実施形態について説明したが、本発明は上記実施形態に限定されるものではなく、種々の変形や変更が可能である。例えば、上記実施形態は、上記実施形態では、車上装置２０は、列車の車軸に設けられている速度発電機２５からの信号に基づいて演算した走行距離から自身の位置を算出しているが、列車に搭載したＧＰＳ（全地球測位システム）の信号受信装置からの情報に基づいて自列車位置を把握するようにしても良い。
さらに、上記実施形態の列車自動運転システムは、在来線は勿論のこと新幹線（登録商標）にも適用することができる。
【００４９】
なお、上記実施形態のように、ＡＴＣ地上装置１３とＡＴＣ車上装置２２との間の通信をＡＴＣトランスポンダ地上子１５とＡＴＣトランスポンダ車上子２７Ａを介した方式とした場合、立ち上げ時に行う列車番号要求の際に、車上システム２０からＡＴＯ中央装置３３へ自列車位置情報を送信するのを省略して、通信をしたＡＴＣトランスポンダ地上子１５から把握できる軌道回路の位置情報を列車番号要求コマンドに付加してＡＴＣ地上装置１３から運行管理システム３０へ送信するようにしても良い。これにより、列車位置情報を軌道回路の位置情報に変換する読み替え処理が不要となる。
【符号の説明】
【００５０】
１０  駅保安システム
１１  軌道回路設備
１２  連動設備
１３  ＡＴＣ地上装置
１４  通信ネットワーク
１５  ＡＴＣトランスポンダ地上子
２０  車上システム
２１  スイッチ装置（運転台ＳＷ）
２２  ＡＴＣ車上装置
２３  自動運転制御装置（ＡＴＯ車上装置）
２４  車両インタフェース（Ｉ／Ｆ）
２５  速度発電機
２６  ブレーキ装置
２７Ａ  ＡＴＣトランスポンダ車上子
２８  走行駆動装置
３０  運行管理システム（運行管理装置）
３１  ダイヤ管理装置
３２  運行管理中央装置
３３  ＡＴＯ中央装置
３４  通信ネットワーク
【図１】
2020062976.tif 000003
【図２】
2020062976.tif 000004
【図３】
2020062976.tif 000005
【図４】
2020062976.tif 000006
【図５】
2020062976.tif 000007
【図６】
2020062976.tif 000008